(57)【要約】【課題】経皮的な神経を通じての刺激による信号の送信。【解決手段】複数部位神経刺激手段１が複数の部位の神経を経皮的個別的に刺激する。神経刺激手段所定部位着身手段２が複数部位神経刺激手段１を神経の所定の複数の部位に装着する。神経刺激受信機本体３が複数部位神経刺激手段１にそれぞれの神経を刺激する信号を送る。複数部位神経刺激信号送信機４が神経刺激受信機本体３に複数の部位の神経を個別的に刺激する信号を送る。【選択図】図１
2009063946.tif 000002
【特許請求の範囲】
【請求項１】
皮膚の複数の部位の神経を経皮的に且つ個別的に刺激する複数部位神経刺激手段、該複数部位神経刺激手段を人体の皮膚の所定の複数の部位に装着する神経刺激手段所定部位着身手段、該神経刺激手段所定部位着身手段に設けられた上記の複数部位神経刺激手段にそれぞれの神経を刺激する信号を送る神経刺激受信機本体、該神経刺激受信機本体に複数の部位の複数部位神経刺激手段を経皮的個別的に刺激する信号を送る複数部位神経刺激信号送信機、より構成されることを特徴とした複数部位神経の経皮的個別的刺激による送受信装置。
【発明の詳細な説明】
【技術分野】
【０００１】
本発明は、広くは送受信装置に関するものであり、特に皮膚の複数の部位の神経を刺激するように構成された送受信装置に関するものである。就中、人体の皮膚などの複数部位の神経を別個に刺激することによってその信号の内容の差異を区別可能とし、その内容の差異を信号の特徴とした送受信装置に関するものである。
【背景技術】
【０００２】
放送や携帯電話や電子メールなどで、送受信装置は日常的に存在する。しかし、これらは全て視聴覚を通じたものであって、必要によってはそれ以外の感覚器官を通じての通信の利用も考えられる。たとえば、視聴覚による通信では騒音などの障害があるとか、秘密の保持のために盗聴を避ける重大な通信などに於いて、経皮的な神経を通じての刺激による信号の送信である。
【発明の開示】
【発明が解決しようとする課題】
【０００３】
しかして、本願発明が解決しようとする問題点は、たとえば、視聴覚障害者にとっては、音波・光線による通信は不可能である。もちろん、言語を必要としない単純の信号の通信もある。これらにおいては、経皮的な神経の刺激による通信の利用は画期的なものとなる。
【課題を解決するための手段】
【０００４】
本発明にかかる複数部位神経の経皮的個別的刺激による送受信装置は、以上の課題を解決するために、皮膚の経皮的刺激を利用して各種の信号を送信するようにしたものである。
【０００５】
以下に、本発明にかかる複数部位神経の経皮的個別的刺激による送受信装置の具体的な構成を詳細に記載する。この発明は、まず、複数部位神経刺激手段がある。この複数部位神経刺激手段は、皮膚の複数の部位の神経を経皮的に、且つ個別的に刺激するものである。つぎに、神経刺激手段所定部位着身手段がある。この神経刺激手段所定部位着身手段は、上記の複数部位神経刺激手段を人体の皮膚の所定の複数の部位に装着するものである。そして、神経刺激受信機本体がある。この神経刺激受信機本体は、上記の神経刺激手段所定部位着身手段に設けられた上記の複数部位神経刺激手段にそれぞれの神経を刺激する信号を送るものである。最後に、複数部位神経刺激信号送信機がある。この複数部位神経刺激信号送信機は、上記の神経刺激受信機本体に複数の部位の神経を個別的に刺激する信号を送るものである。
【発明の効果】
【０００６】
本発明にかかる複数部位神経の経皮的個別的刺激による送受信装置は、以上のごとくになしたゆえに、上記の課題を解決して以下のごとき多大な効果が生じた。すなわち、視聴覚による通信では騒音などの障害があるときに、経皮的に神経を刺激することによって必要な信号を送ることが可能となった。又、秘密の保持のために盗聴を避ける重大な通信などに於いて、経皮的な神経を通じての刺激による信号の送信もできるものである。さらには、視聴覚障害者への経皮的な通信も可能になった。
【発明を実施するための最良の形態】
【０００７】
本発明にかかる複数部位神経の経皮的個別的刺激による送受信装置は、以上の課題を解決するために、神経の経皮的刺激を利用して各種の信号を送信するようにしたことにより、音波・光線による通信は不可能である視聴覚障害者にとっては、有効な通信手段となった。もちろん、ＹＥＳかＮＯとか右や左などの指示や数字を送信するのみとかの文章を必要としない単純な信号の通信には、その複数部位神経刺激手段を単純化できると言う利点がある。
【実施例１】
【０００８】
しかして、本発明にかかる複数部位神経の経皮的個別的刺激による送受信装置をその具体的な実施例を用いて添付の図面と共に詳細に述べる。この発明は、まず、複数部位神経刺激手段１がある。この複数部位神経刺激手段１は、皮膚の複数の部位の神経を経皮的に、且つ個別的に刺激するものであって、バイブレーターとか対を為す電極などから成っている。しかして、電極の場合には、一揃いのイヤリングとか、ブレスレットとか、腕時計などの装身具を利用することも出来る。なお、電極の場合には、その複数の対となるそれぞれの一方の電極を共通にすれば、配線の数が省略できる。
【０００９】
つぎに、肌に密着性の下着などから成る神経刺激手段所定部位着身手段２がある。この神経刺激手段所定部位着身手段２は、上記の複数部位神経刺激手段１を人体の皮膚の所定の複数の部位に装着するものである。本実施例では、図１に示すごとくに、この神経刺激手段所定部位着身手段２には、マラソン用のシャツを用い、その内側にその複数部位神経刺激手段１を取り付けた。この実施例ではその神経刺激手段所定部位着身手段２は図面の簡素化のために２個にしたが、必要に応じてその数は増やしてもよい。これで、そのコーチがその走者に数々のアドバイスが可能になる。しかして、この神経刺激手段所定部位着身手段２には、パンツやサポーターなど直接身体に接するものなら何でもよい。また、この神経刺激手段所定部位着身手段２は、上記の複数部位神経刺激手段１と一体のものであってもよい。特に、この神経刺激手段所定部位着身手段２が電極の場合は、イヤリングやピアスの金属部分とその止め金部分が同一となりうる故に、容易に一体化される。
【００１０】
そして、神経刺激受信機本体３がある。この神経刺激受信機本体３は、上記の神経刺激手段所定部位着身手段２に設けられた上記の複数部位神経刺激手段１にそれぞれの神経を刺激する信号を送るものである。最後に、複数部位神経刺激信号送信機４がある。この複数部位神経刺激信号送信機４は、上記の神経刺激受信機本体３に複数の部位の神経を個別的に刺激する信号を送るものである。
【００１１】
しかして、上記の複数部位神経刺激手段１を図２に示すようにこの実施例を２個にして構成した場合に、例えばその左側の複数部位神経刺激手段１ａをモールス信号の「トン」にし、その右側の複数部位神経刺激手段１ｂを「ツー」にすれば、これでモールス信号通信が出来る。もちろん、たとえば、その左側の複数部位神経刺激手段１ａを「ＹＥＳ」にし、その右側の複数部位神経刺激手段１ｂを「ＮＯ」にすれば、これでその受信者の行っている行為を正常に制御することが可能になる。
【００１２】
さらには、その複数部位神経刺激手段１を１０個用いてカルキュレーターの１０キーのようにすれば、数字も送信できる。また、それらの複数部位神経刺激手段１を１個のみオンするのではなく、それらの全てを同時にオン・オフ制御すれば、その複数部位神経刺激手段１の階乗的な数の信号を送信できる。その一例を図２で示すと、その複数部位神経刺激手段の１ａのみが駆動している状態と、その複数部位神経刺激手段の１ｂのみが駆動している状態と、その複数部位神経刺激手段の１ａと１ｂの両方が駆動している状態の三通りの信号を送り出すことが出来る。そして、その複数部位神経刺激手段の１ａと１ｂの両方が駆動していない状態を含めると４通りとなる。
【産業上の利用可能性】
【００１３】
視聴覚障害者への経皮的な信号の送信などの新しい通信分野への利用の可能性はもとより、その複数部位神経刺激手段１を電極にすれば、経皮的通電療法の分野への利用の可能性も開ける。
【図面の簡単な説明】
【００１４】
【図１】本発明にかかる複数部位神経の経皮的個別的刺激による送受信装置の一実施例の平面図を示したものである。
【図２】図１の複数部位神経刺激手段の拡大平面図を示したものであって、そのＡはその刺激手段のａのみが駆動している状態であって、そのＢはその刺激手段のｂのみが駆動している状態であって、そのＣはその刺激手段のａとｂの両方が駆動している状態を表しているものである。
【符号の説明】
【００１５】
１  複数部位神経刺激手段
２  神経刺激手段所定部位着身手段
３  神経刺激受信機本体
４  複数部位神経刺激信号送信機
【図１】
2009063946.tif 000003
【図２】
2009063946.tif 000004